(57)【要約】      （修正有）【課題】位置の認識の精度を高めることができると共に、作業を効率よく行うことができるロボットの自律移動方法及び自律移動装置を提供する。【解決手段】自律移動方法及び自律移動装置では、ロボット１０を自律的に移動させる。この自律移動方法は、複数のレーザ光照射装置２０のそれぞれからレーザ光Ｌを照射してレーザ光Ｌの交点Ｃを表示する工程と、交点Ｃをカメラ１６が撮影することによってロボット１０が自己の位置及び向きを認識する工程と、認識した位置及び向きを基にロボット１０が移動する工程と、を備える。【選択図】図１
2019109155.tif 000002
【特許請求の範囲】
【請求項１】
ロボットを自律的に移動させる自律移動方法であって、
複数のレーザ光照射装置のそれぞれからレーザ光を照射して前記レーザ光の交点を表示する工程と、
前記ロボットのカメラが前記交点を撮影することによって前記ロボットが自己の位置及び向きを認識する工程と、
認識した位置及び向きを基に前記交点に向かって前記ロボットが移動する工程と、
を備える自律移動方法。
【請求項２】
複数のレーザ光照射装置と、
前記複数のレーザ光照射装置のそれぞれから照射されたレーザ光の交点を撮影するカメラを有するロボットと、
を備え、
前記ロボットは、前記カメラによって撮影された前記交点から自己の位置及び向きを認識し、認識した位置及び向きを基に前記交点に向かって移動する、
自律移動装置。
【請求項３】
前記ロボットは、前記カメラを移動自在に保持するアームを備える、
請求項２に記載の自律移動装置。
【発明の詳細な説明】
【技術分野】
【０００１】
本発明は、ロボットを自律的に移動させる自律移動方法及び自律移動装置に関する。
【背景技術】
【０００２】
特開２０１２−３７２８８号公報には、位置決め対象物を目標位置に向けて移動させる墨出しシステムが記載されている。墨出しシステムは、自律走行型の墨出し装置、レーザーレンジファインダ、トータルステーション、及び墨出し装置を制御するパーソナルコンピュータを備える。墨出し装置は、多方向移動ホイールを有する走行機構と、杭芯の打設位置を示すマークを地面に押印するスタンプ機構と、スタンプ機構を位置調整可能に支持する位置調整機構と、スタンプ機構及び位置調整機構の上方に設けられた一対の計測プリズムとを備える。スタンプ機構は、押印を行うスタンプ部と、スタンプ部を地面に対して昇降させる昇降機構とを備える。また、一対の計測プリズムは、トータルステーションから投射された測距測角用の光を反射する。
【０００３】
墨出しシステムでは、レーザーレンジファインダによって墨出し装置の位置を計測しながら、計測された位置に基づいて墨出し装置を目標位置に向けて走行させる。その後、トータルステーションが計測プリズムの位置を算出することによって墨出し装置の位置を計測し、計測された位置と目標位置との誤差を位置調整機構が補正する。そして、スタンプ機構がマークを地面に押印して現場における墨出しを行う。
【先行技術文献】
【特許文献】
【０００４】
【特許文献１】特開２０１２−３７２８８号公報
【発明の概要】
【発明が解決しようとする課題】
【０００５】
前述した墨出しシステムは、スタンプ機構と一対の計測プリズムとを一体として備えており、一対の計測プリズムはスタンプ機構の上方に設けられる。従って、一対の計測プリズムとスタンプ機構との間に機械的誤差が生じるため、位置の認識の精度において改善の余地がある。また、走行機構は多方向移動ホイールによって地面上を移動し、スタンプ機構は昇降機構によってスタンプ部を地面に下降させて押印を行う。よって、段差又は障害物が存在して地面が平坦でない場合には、走行機構による移動、及びスタンプ機構による押印を効率よく行うことができないので、押印等の作業性において改善の余地がある。
【０００６】
本発明は、位置の認識の精度を高めることができると共に、作業を効率よく行うことができるロボットの自律移動方法及び自律移動装置を提供することを目的とする。
【課題を解決するための手段】
【０００７】
本発明に係る自律移動方法は、ロボットを自律的に移動させる自律移動方法であって、複数のレーザ光照射装置のそれぞれからレーザ光を照射してレーザ光の交点を表示する工程と、ロボットのカメラが交点を撮影することによってロボットが自己の位置及び向きを認識する工程と、認識した位置及び向きを基に交点に向かってロボットが移動する工程と、を備える。
【０００８】
この自律移動方法は、複数のレーザ光照射装置のそれぞれからレーザ光を照射し、複数のレーザ光が交差して形成されるレーザ光の交点を表示する。ロボットは、複数のレーザ光照射装置によって表示された交点を撮影するカメラを備え、カメラによって撮影された交点から自己の位置及び向きを認識する。このように、ロボットは、レーザ光の交点から自己の位置及び向きを認識し、認識した位置及び向きに基づいて交点に向かって移動する。よって、レーザ光の交点を利用することによってロボットの位置及び向きの認識の精度を高めることができる。すなわち、ロボットはレーザ光照射装置とは別体とされており、ロボットとレーザ光照射装置との間に機械的誤差は生じないので、位置及び向きの認識の精度を高めることができる。また、レーザ光の交点は、地面だけでなく壁、天井及び段差にも表示可能であり、ロボットを壁、天井又は段差の近くに移動させてロボットに作業をさせることができるので、ロボットによる作業を効率よく行うことができる。
【０００９】
本発明に係る自律移動装置は、複数のレーザ光照射装置と、複数のレーザ光照射装置のそれぞれから照射されたレーザ光の交点を撮影するカメラを有するロボットと、を備え、ロボットは、カメラによって撮影された交点から自己の位置及び向きを認識し、認識した位置及び向きを基に交点に向かって移動する。
【００１０】
この自律移動装置は、レーザ光を照射する複数のレーザ光照射装置とロボットとを備え、複数のレーザ光照射装置は、各レーザ光が交差するレーザ光の交点を表示する。ロボットは、レーザ光の交点を撮影するカメラを備え、撮影された交点から自己の位置及び向きを認識する。よって、ロボットはレーザ光の交点から認識した位置及び向きに基づいて交点に向かって移動するので、ロボットの位置及び向きの認識の精度を高めることができる。すなわち、前述と同様、ロボットはレーザ光照射装置とは別体とされておりロボットとレーザ光照射装置との間に機械的誤差は生じないので、位置及び向きの精度を高めることができる。また、ロボットを壁、天井又は段差の近くに移動させて壁、天井又は段差の近くでロボットに作業をさせることができるので、ロボットによる作業を効率よく行うことができる。
【００１１】
また、ロボットは、カメラを移動自在に保持するアームを備えていてもよい。この場合、ロボットは、アームを自在に動かすことによってカメラを任意の位置に効率よく移動させることができる。従って、ロボットの作業性を更に高めることができる。
【発明の効果】
【００１２】
本発明によれば、位置の認識の精度を高めることができると共に、作業を効率よく行うことができる。
【図面の簡単な説明】
【００１３】
【図１】図１は、実施形態に係る自律移動装置を模式的に示す図である。
【図２】図２は、図１の自律移動装置のロボットに設けられたアームの先端を拡大して示す断面図である。
【図３】図３は、実施形態に係る自律移動方法を示すフローチャートである。
【図４】図４は、図３の自律移動方法で作業が行われる建設現場の座標軸の例を示す図である。
【図５】図５（ａ）は、ロボットが基準点の位置を認識する例を示す図である。図５（ｂ）は、ロボットのカメラの中心点を基準点に合わせる例を示す図である。
【図６】図６（ａ）は、基準点に対するカメラの向きを調整する例を示す図である。図６（ｂ）は、カメラの向きをＸ軸及びＹ軸に合うように回転する例を示す図である。
【発明を実施するための形態】
【００１４】
以下では、図面を参照しながら本発明に係る自律移動方法及び自律移動装置の実施形態について詳細に説明する。図面において同一又は相当する要素には同一の符号を付し、重複する説明を適宜省略する。また、図面は、理解を容易にするため一部を簡略化又は誇張して描いており、寸法比率等は図面に記載したものに限定されない。
【００１５】
まず、実施形態に係る自律移動装置１について説明する。図１に示されるように、自律移動装置１は、建設現場Ａの作業において用いられる。例えば、自律移動装置１は、ロボット１０を自律的に移動させることにより、施工の基準となる点又は線を建設現場Ａの床、壁又は天井に描写する墨出しを自動的に行う。自律移動装置１は、墨出しを行う自走式の墨出しロボットであるロボット１０と、レーザ光Ｌを照射する複数のレーザ光照射装置２０と、座標指定装置３０とを備える。
【００１６】
ロボット１０は、例えば、本体１１と、本体１１の下部に設けられて本体１１を建設現場Ａにおいて移動させる複数の車輪１２と、建設現場Ａを撮影する周辺検知カメラ１３と、本体１１から延び出すと共に本体１１に対して３次元方向に移動自在とされたアーム１５とを備える。アーム１５は、レーザ光Ｌを認識するカメラ１６と、墨出しを行う描写部１７とを備える。本体１１は、例えば、無線ＬＡＮ又はＢｌｕｅｔｏｏｔｈ（登録商標）等の無線通信用インタフェースを備えており、座標指定装置３０との無線によるデータの送受信が可能である。
【００１７】
例えば、周辺検知カメラ１３は、全方位カメラであり、３６０度方向にわたって撮影を行う。周辺検知カメラ１３は、アーム１５に取り付けられたカメラ１６に対して予備的に設けられたカメラであり、例えば、カメラ１６では撮影できない箇所の撮影を行う。このようにロボット１０が周辺検知カメラ１３を備えることにより、万が一カメラ１６が使えなくなった場合であっても撮影を継続することが可能である。
【００１８】
アーム１５は、例えば、ロボットアームであり、本体１１に固定される基部１５ａ、基部１５ａに対して水平方向に旋回可能に支持される第１アーム部１５ｂ、及び第１アーム部１５ｂに対して上下に揺動自在に連結された第２アーム部１５ｃを備える。アーム１５は、基部１５ａに対して第１アーム部１５ｂが旋回すると共に、第１アーム部１５ｂに対して第２アーム部１５ｃが上下に揺動することにより、カメラ１６及び描写部１７を３次元方向に移動させる。
【００１９】
図２は、アーム１５の第２アーム部１５ｃの先端を拡大した断面図である。図２に示されるように、カメラ１６は、例えば、第２アーム部１５ｃの先端１５ｄから第２アーム部１５ｃの延在方向に延び出すように第２アーム部１５ｃの側面１５ｅに取り付けられる。カメラ１６は、第２アーム部１５ｃの先端１５ｄよりも更に先に位置するレーザ光Ｌの交点Ｃを撮影する。描写部１７は、例えば、第２アーム部１５ｃの凹部１５ｆに嵌め込まれており、先端１５ｄから第２アーム部１５ｃの延在方向に延び出している。描写部１７は、アーム１５の３次元方向への移動に伴って交点Ｃの位置に墨出しを行う。例えば、描写部１７は、墨出し用の十字状等の印だけでなく、字又は絵を描写してもよい。
【００２０】
図１に示されるように、建設現場Ａには、例えば、２台のレーザ光照射装置２０が設けられる。２台のレーザ光照射装置２０のそれぞれは、建設現場Ａにレーザ光Ｌを照射して建設現場Ａに複数のレーザ光Ｌが交わる交点Ｃを形成する。レーザ光照射装置２０は、建設現場Ａの床面、壁面又は天井面に墨出し用の交点Ｃを表示する。一例として、レーザ光Ｌは赤色の可視光線であり、レーザ光Ｌの波長は６３５ｎｍ以上且つ６４２ｎｍ以下であってもよい。レーザ光照射装置２０は、例えば、三脚の上に設置されてもよい。
【００２１】
座標指定装置３０は、墨出しを行う位置の座標を指定する装置である。座標指定装置３０は、例えば無線通信によって、ロボット１０及びレーザ光照射装置２０のそれぞれと通信可能である。座標指定装置３０によって座標が指定されると、指定された座標がロボット１０及びレーザ光照射装置２０に出力される。座標指定装置３０は、ロボット１０及びレーザ光照射装置２０を制御するコントローラであってもよい。また、座標指定装置３０は、タブレット又は携帯端末等の端末機器であってもよい。
【００２２】
座標指定装置３０によって指定された座標にレーザ光照射装置２０は交点Ｃを表示し、ロボット１０は建設現場Ａの指定された座標（交点Ｃの位置）に移動して墨出しを行う。ロボット１０は、交点Ｃの付近に移動すると共にアーム１５のカメラ１６によって交点Ｃの位置を認識し、アーム１５に取り付けられた描写部１７を交点Ｃに当てて線又は点を描く。なお、ロボット１０は、位置座標、又は施工に必要な情報を交点Ｃに描写してもよい。
【００２３】
次に、実施形態に係る自律移動方法の具体例について図３及び図４を参照しながら説明する。図３は、自律移動方法の各工程の一例を示すフローチャートである。図４は、建設現場Ａの座標の例を示す図である。なお、図４では、ロボット１０、カメラ１６及びレーザ光照射装置２０の図示を簡略化している。以下では、自律移動装置１を用いて建設現場Ａに墨出しを行う例について説明する。まず、初期段階として、建設現場Ａにロボット１０及びレーザ光照射装置２０を設置する（ステップＳ１）。また、例えば基準点Ｐ１，Ｐ２を既知点とすると共に、ロボット１０を基準点Ｐ１の付近に配置して各レーザ光照射装置２０を点Ｐ３，Ｐ４のそれぞれに配置する。
【００２４】
次に、座標指定装置３０によって目標点（位置座標）の発信を行う（ステップＳ２）。このとき、座標指定装置３０から、墨出しを行う目標点Ｐ５，Ｐ６，Ｐ７，Ｐ８のそれぞれの座標をロボット１０及びレーザ光照射装置２０に発信する。各レーザ光照射装置２０は、目標点Ｐ５，Ｐ６，Ｐ７，Ｐ８の座標を受信すると、レーザ光Ｌの照射方向を定めるために回転し、基準点Ｐ１の位置に交点Ｃを表示する（ステップＳ３、交点を表示する工程）。
【００２５】
基準点Ｐ１に交点Ｃが表示されると、カメラ１６が基準点Ｐ１に表示された交点Ｃを撮影する（ステップＳ４）。ロボット１０は、現在のロボット１０の中心点Ｐ９に対する交点Ｃの位置及び向きをカメラ１６の撮影画像によって認識し、自己の位置及び向きを設定する（ステップＳ５、自己の位置及び向きを認識する工程）。具体的には、図５（ａ）及び図５（ｂ）のカメラ１６の撮影画像Ｂに示されるように、ロボット１０は、撮影画像Ｂに表示される基準点Ｐ１の位置を認識し、撮影画像Ｂの中心点Ｐ１０を基準点Ｐ１に合わせる。
【００２６】
そして、図６（ａ）及び図６（ｂ）に示されるように、カメラ１６の向きが２本のレーザ光Ｌの交差角度θ１となるようにカメラ１６の傾きを調整し、カメラ１６の向きがＸ軸及びＹ軸の双方に合うようにカメラ１６を回転する。そして、カメラ１６の位置を基準点Ｐ１、Ｘ軸に対するカメラ１６の中心線が成す角度θ３を９０°にするようにカメラ１６を移動させると共に、ロボット１０の位置と方向角θ２を決定する。
【００２７】
続いて、レーザ光照射装置２０を回転し目標点Ｐ５の位置に交点Ｃを表示する（ステップＳ６）。そして、ロボット１０は、自己の位置及び向きに基づいて墨出しの位置である目標点Ｐ５に表示された交点Ｃに向かって移動する（ステップＳ７、移動する工程）。ロボット１０は、目標点Ｐ５に向かって移動した後、目標点Ｐ５に表示された交点Ｃの位置と交差角度θ１をカメラ１６の撮影によって認識し、自己の位置及び向きを補正すると共に目標点Ｐ５に墨出しを行う（ステップＳ８）。
【００２８】
目標点Ｐ５に墨出しを行った後には、全ての目標点（位置座標）に対する墨出しが完了したか否かを判定する（ステップＳ９）。例えば、目標点が目標点Ｐ５，Ｐ６，Ｐ７，Ｐ８であって目標点Ｐ５のみに墨出しを行った時点では、全ての目標点に対する墨出しが完了していないので、ステップＳ６に戻りステップＳ６〜Ｓ８を再度実行する。ロボット１０は、カメラ１６による交点Ｃの撮影画像から目標点Ｐ６に対する位置の誤差を算出し、算出した誤差から向き及び次の移動量を算出する。このように、目標点Ｐ６，Ｐ７，Ｐ８への交点Ｃの表示、交点Ｃへのロボット１０の移動、及び目標点Ｐ６，Ｐ７，Ｐ８への墨出し、を目標点ごとに実行する。そして、全ての目標点に対する墨出しが完了した後に、一連の工程が完了する。
【００２９】
次に、本実施形態に係る自律移動方法及び自律移動装置１から得られる作用効果について説明する。本実施形態に係る自律移動方法及び自律移動装置１は、複数のレーザ光照射装置２０のそれぞれからレーザ光Ｌを照射し、複数のレーザ光Ｌが交差して形成されるレーザ光Ｌの交点Ｃを表示する。ロボット１０は、複数のレーザ光照射装置２０によって表示された交点Ｃを撮影するカメラ１６を備え、カメラ１６によって撮影された交点Ｃから自己の位置及び向きを認識する。このように、ロボット１０は、レーザ光Ｌの交点Ｃから自己の位置及び向きを認識し、認識した位置及び向きに基づいて移動するので、レーザ光Ｌの交点Ｃを利用することによってロボット１０の位置及び向きの認識の精度を高めることができる。
【００３０】
すなわち、ロボット１０はレーザ光照射装置２０とは別体とされており、ロボット１０とレーザ光照射装置２０との間に機械的誤差は生じないので、位置及び向きの認識の精度を高めることができる。また、レーザ光Ｌの交点Ｃは、地面だけでなく壁、天井及び段差にも表示可能であり、ロボット１０を壁、天井又は段差の近くに移動させてロボット１０に作業をさせることができるので、ロボット１０による作業を効率よく行うことができる。
【００３１】
また、図１に示されるように、ロボット１０は、カメラ１６を移動自在に保持するアーム１５を備える。従って、ロボット１０は、アーム１５を自在に動かすことによってカメラ１６を任意の位置に効率よく移動させることができる。その結果、ロボット１０の作業性を更に高めることができる。
【００３２】
また、本実施形態に係る自律移動方法では、ロボット１０及び複数のレーザ光照射装置２０を配置して座標指定装置３０を操作することにより、自動的に墨出し等の作業を行うことができる。従って、熟練していない作業者であっても、座標指定装置３０の簡易な操作によって容易に作業を進めることができる。そして、ロボット１０及び複数のレーザ光照射装置２０によって無人化による作業を行うことができるため、墨出し等の作業の生産性を高めることができる。更に、自動的に作業を行うことによってヒューマンエラーの発生を防止することができる。
【００３３】
また、本実施形態に係る自律移動方法及び自律移動装置１では、ロボット１０及び複数のレーザ光照射装置２０を用いて墨出し等の作業を行うため、トータルステーション及びプリズム等の視準部材を不要とすることができる。従って、トータルステーション及びプリズム等を用いる場合と比較して簡易な構成とすることができるので、墨出し等の作業を簡易な構成で容易に行うことができる。
【００３４】
また、本実施形態に係る自律移動方法は、ロボット１０の位置測定から目標点Ｐ５，Ｐ６，Ｐ７，Ｐ８の調整までのプロセスが少ないので、測定の誤差が生じにくい。更に、表示された交点Ｃに描写部１７によって点又は線等を描写して作業を行うことができるため、レーザ光Ｌの照射の精度のみに依存して墨出しを行うことができる。従って、墨出しを容易に且つ高精度に行うことができる。また、墨出しを行う目標点Ｐ５，Ｐ６，Ｐ７，Ｐ８が段差、壁又は天井に位置していてもレーザ光Ｌの照射が可能であるため、建設現場Ａの様々な場所に対して自動的に墨出しを行うことができる。
【００３５】
以上、本発明に係る自律移動方法及び自律移動装置の実施形態について説明したが、本発明は、前述した実施形態に限られるものではなく、各請求項に記載した要旨を変更しない範囲において変形し、又は他のものに適用したものであってもよい。すなわち、自律移動方法の工程の内容及び順序、並びに、自律移動装置の各部の構成は、各請求項の要旨を変更しない範囲において種々の変形が可能である。
【００３６】
例えば、前述の実施形態では、本体１１、車輪１２、周辺検知カメラ１３及びアーム１５を備えるロボット１０について説明したが、ロボットの形状、大きさ及び数は適宜可能である。例えば、車輪１２の種類又は数を変更してもよいし、アーム１５の構成を変更してもよいし、周辺検知カメラ１３を省略してもよい。また、レーザ光照射装置及び座標指定装置の形状、大きさ、数及び種類についても適宜変更可能である。
【００３７】
また、前述の実施形態では、建設現場Ａにおいて施工の基準となる点又は線を床、壁又は天井に描写する墨出しを自動的に行う自律移動装置１について説明したが、自律移動装置及び自律移動方法では、墨出し以外の作業を行ってもよい。例えば、描写部１７に代えて、ドライバをアーム１５に装着してロボット１０にボルト締めをさせてもよい。また、溶接ガンをアーム１５に装着してロボット１０に溶接をさせてもよい。このように、本発明に係る自律移動方法及び自律移動装置は、様々な作業に適用することができる。
【符号の説明】
【００３８】
１…自律移動装置、１０…ロボット、１１…本体。１２…車輪、１３…周辺検知カメラ、１５…アーム、１５ａ…基部、１５ｂ…第１アーム部、１５ｃ…第２アーム部、１５ｄ…先端、１５ｅ…側面、１６…カメラ、１７…描写部、２０…レーザ光照射装置、３０…座標指定装置、Ａ…建設現場、Ｂ…撮影画像、Ｃ…交点、Ｌ…レーザ光、Ｐ１，Ｐ２…基準点、Ｐ３，Ｐ４…点、Ｐ５，Ｐ６，Ｐ７，Ｐ８…目標点、Ｐ９，Ｐ１０…中心点、θ１…交差角度、θ２…方向角、θ３…角度。
【図１】
2019109155.tif 000003
【図２】
2019109155.tif 000004
【図３】
2019109155.tif 000005
【図４】
2019109155.tif 000006
【図５】
2019109155.tif 000007
【図６】
2019109155.tif 000008